【事件の表示】
　特許第３００８３６０号「カメラのフイルム移動量検出装置」の請求項１に係る特許に対する特許異議の申立てについて、次のとおり決定する。
【結　論】
　訂正を認める。
　特許第３００８３６０号の請求項１に係る特許を維持する。
【理　由】
１、手続きの経緯
　本件特許第３００８３６０号の発明は、平成３年９月２７日に特許出願され、平成１１年１２月３日にその特許の設定登録がなされ、その後、神田泰貴より特許異議の申立てがなされ、取消理由通知がなされ、その指定期間内である平成１３年２月１９日に訂正請求がなされたものである。
　
２、訂正の適否についての判断
（１）訂正の要旨
　訂正事項a
　特許請求の範囲の請求項１を以下のように訂正する。
「【請求項１】一駒に対して複数のパーフォレーションを有するフイルムを巻上げる際に、パーフォレーションの移動域に光を投射し、その反射光または透過光を受光し、受光信号の変化からパーフォレーション数を計数してフイルム移動量を検出するようにしたカメラのフイルム移動量検出装置において、カメラに装填されたフイルムが第１駒まで空送りされる間に上記した受光信号を入力し、受光信号の最小値Vminと最大値Vmaxとから第１の基準値Vo１と第２の基準値Vo２とを
　Vo１＝Ko１・（Vmax−Vmin）＋Vmin
　Vo２＝Ko２・（Vmax−Vmin）＋Vmin
ただし、Ko１、Ko２は定数、１＞Ko２＞Ko１＞０の式を算出して設定する基準値設定部と、第１駒から巻上げられるフイルムの上記受光信号が上昇中は第２の基準値を、上記受光信号が下降中は第１の基準値を判断基準として受光信号の変化数を計数してフイルム移動量を検出する検出部とを含む演算手段を備えたことを特徴とするカメラのフイルム移動量検出装置。」
　
　訂正事項b
　明細書第３頁第２８行〜２９行の【０００９】の欄の「受光信号の最小値と最大値とからその範囲内でレベルの異なる第１の基準値及び第２の基準値を設定する基準値設定部と、」なる記載を、「受光信号の最小値Vminと最大値Vmaxとから第１の基準値Vo１と第２の基準値Vo２とを
　Vo１＝Ko１・（Vmax−Vmin）＋Vmin
　Vo２＝Ko２・（Vmax−Vmin）＋Vmin
ただし、Ko１、Ko２は定数、１＞Ko２＞Ko１＞０
　の式を算出して設定する基準値設定部と、」と訂正する。
　
　訂正事項c
　明細書第４頁第１行目【０００９】の欄の「上記受光信号を第１、第２の基準値を判断基準として」なる記載を「上記受光信号が上昇中は第２の基準値を、上記受光信号が下降中は第１の基準値を判断基準として」と訂正する。
　
　訂正事項d
　明細書第４頁第１０行目【００１０】の欄の「これらの範囲内になるようにしたレベルの異なる第１の基準値と第２の基準値」なる記載を「これらの範囲内において上記最大値と最小値の差に応じてレベル差が変わる第１の基準値と第２の基準値」と訂正する。
　
（２）訂正の目的の適否、新規事項の有無及び拡張・変更の存否
　上記訂正事項aは、特許請求の範囲の減縮および明りょうでない記載の釈明に該当し、上記訂正事項bないしdは、明りょうでない記載の釈明に該当するものである。そして、該訂正事項aないしdは、新規事項の追加に該当せず、実質的に特許請求の範囲を拡張又は変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項の規定に適合するので、当該訂正を認める。
　
３、特許異議の申立についての判断
（１）異議申立て理由の概要
　異議申立人神田泰貴は、本件請求項１に係る発明（訂正前の発明）は、下記の甲第１号証ないし甲第３号証刊行物に記載された発明に基づいて当業者が容易に発明をすることができたものであり、特許法第２９条第２項の規定により特許を受けることができないものであるから、その特許は取り消されるべきであると主張している。
　
　甲第１号証刊行物　特開平２−７７０５６号公報
　甲第２号証刊行物　「トランジスタ技術ORIGINAL３月号増刊」、CQ出版、平成２年（１９９０年）３月１日発行、第２２頁〜２５頁。
　甲第３号証刊行物　特開平３−１９２３３９号公報
　
（２）本件発明
　訂正明細書の請求項１に係る発明（以下、「本件発明」という。）は、その特許請求の範囲の請求項１に記載された事項により特定される上記２−（１）の訂正事項aに記載のとおりのものである。
　
（３）甲各号証刊行物記載の発明
　甲第１号証刊行物には、以下のような事項が記載されている。即ち、
「ホトインタラプタ１から出た光はパーフォレーションfとパーフォレーションfとの間のフィルム部分で反射して受光され、出力信号は“H”となる。これに対してフィルムFが矢印方向にやや移動してホトインタラプタ１の位置にパーフォレーションfがくると、ホトインタラプタ１から出た光はパーフォレーションfを通過して圧板Dに設けられた反射防止材２００により吸収されてもどってこない。このときの出力信号は“L”となる。このように、フィルムFの給送によりホトインタラプタ１の出力信号は“H”と“L”の繰り返しとなる。」（公報第３頁左上欄第１行〜１４行）。
「このときマイコン１３はホトインタラプタ１からの出力信号を読み込み（F−９）、１コマ分に相当する８パーフォレーションだけフィルムが移動したか否かを判別し（F−１０）、８パーフォレーション分の出力信号を検出したときポートM１，M２に上記指令信号（M１＝ON，M２＝ON）を出力することにより巻上げモータ１２aを停止する（F−１２）、」（公報第３頁左下欄第１３行〜右下欄第５行）。
「給送を始めてから数ミリ秒から数１０ミリ秒の間で予め定めた時間（たとえば３０ミリ秒）の間（P−３）マイコン１３はホトインタラプタ１からの出力信号を読み込み（P−４），その最大値と最小値をマイコン内のメモリに記憶する（P−５），この場合、最大値と最小値はそれまでの最大値を越える値がくれば書き換えられ、それまで最小値を下回る値がくれば書き換えるという具合に常に書き換えられながらそのときまでの最大値と最小値である。所定時間（上の例では３０ミリ秒）が経過したとき、マイコン１３はその間の最大値と最小値の平均すなわち中間値を演算し（単純に、（最大値＋最小値／２）として）、その中間値を記憶し、パーフォレーションの有無判断の閾値として設定する（P−６）。」（公報第４頁左上欄第４行〜１９行）。
「すなわち、ホトインタラプタ１からの出力信号がこの中間値より小さければ（“L”）パーフォレーションと判断し、大きければ（“H”）パーフォレーションでないと判断し、“L”の数からパーフォレーションの個数を知ることができる。上記実施例ではパーフォレーションを検知するための閾値の設定をフィルムの自動装填期間を利用して行ったが、本発明はフィルム自動装填機能のないカメラにも適用することができ、その場合は最初の１〜２コマ分のフィルム給送期間を利用すればよい。」（公報第４頁右上欄第１４行〜左下欄第５行）。
　なる記載事項があり、該記載事項と図面の記載からして、次のような発明が記載されている。
　一コマに対して複数のパーフォレーションを有するフイルムを巻上げる際に、パーフォレーションの移動域に光を投射し、その反射光または透過光に基づく出力信号の変化からパーフォレーション数を計数してフイルム移動量を検出するようにしたカメラのフィルム移動量検出装置において、カメラに装填されるフイルムの自動装填期間もしくは最初の１〜２コマ分のフイルム給送期間に出力信号の最大値と最小値を読み込み、該出力信号の最大値と最小値とから中間値、即ち、最大値＋最小値／２を演算して、パーフォレーションの有無判断の閾値として設置する構成と、上記自動装填期間もしくは最初の１〜２コマ分のフイルム給送期間経過後に巻上げられるフイルムの上記出力信号が上記中間値を判断基準として、該中間値より大きいか小さいかの該信号の変化数を計数してフイルム移動量を検出する構成とを含むマイコンとを備えたフイルム移動量検出装置。
　
　甲第２号証刊行物は、ICやデジタル回路などの電子部品の構造や動作を詳細に解説した解説本であり、該刊行物には、
「スロー・クロックの波形をきちっとした波形に整形するにはゲートICでシュミット・トリガ回路を作るか、シュミット・トリガ用ICを使うことになります。シュミット・トリガ回路というのは、図１８に示すように入出力特性にヒステリシス（履歴）特性をもたせたもので、H→LとL→Hの変化で異なるスレッショルド電圧をもった素子です。スロー・クロックの発生する場所にシュミット・トリガを使うことは、ディジダル回路の常識でもあります。」（第２５頁左欄第４行〜第１４行）。
　なる記載があり、該記載と、図面第１８図の記載からして次のような発明が記載されている。
　スロ−・クロックの波形を整形するために用いられるシュミット・トリガ回路の入出力特性におけるヒステリシス特性が、H→LとL→Hの変化で異なる２つのスレッショルド電圧VT＋、VT−により与えられる構成。　
　
　甲第３号証刊行物には、フィルムのパーフォレーションに対応して設けられたスプロケットホイールの上端に、フィルムの移動量を検出するためのスリット板を固定し、このスリット板の回転によるスリットの数をフォトインタラプタユニットが検出し、この検出信号に基づくパルス信号の出力によりフィルムの移動量を検出するフイルム移動量検出装置に関し、その第２頁右上欄第３行〜９行には「今、フィルムの巻上げを例にして説明すると、フィルムの移動信号を受信して制御する場合、フィルムの移動を検知するセンサと、その信号を受けてアクチュエータ類を制御する回路の間にヒステリシス特性を持たせ、ノイズに強くしたインタフェース回路を挿入している。」なる記載がなされ、また、第３図には、フォトインタラプタユニットのフォトトランジスタが出力した波形と、その出力波形の最小値→最大値と最大値→最小値の変化に対して異なる閾値を用いてフォトインタラプタユニットのオンオフ信号を出力したときのパルス信号波形を示す、線図が記載されており、結局、次のような発明が記載されている。
　フイルムの移動量を検出するためのスリット板の回転によるスリット数をフォトインタラプタユニットにより検出するものにおいて、この検出信号に基づくパルス信号の発生にヒステリシス特性をもたせるため、２つのスレッショルドH、Lにより該検出信号の出力波形の最小値→最大値と最大値→最小値の変化に対して異なる閾値を与える構成。
　
（４）対比・判断
  本件発明と、甲第１号証刊行物に記載された発明とを対比すると、
　甲第１号証刊行物には、本件発明を特定する事項である演算手段が、受光信号の変化数を計数するための基準値である第１、第２の基準値Vo１,Vo２をそれぞれ、フイルムが第１駒まで空送りされる間の受光信号の最小値Vminと最大値Vmaxに関連した
　Vo１＝Ko１・（Vmax−Vmin）＋Vmin
　Vo２＝Ko２・（Vmax−Vmin）＋Vmin
ただし、Ko１、Ko２は定数、１＞Ko２＞Ko１＞０、として算出し設定する基準値設定部と、第１駒から巻上げられるフイルムの受光信号が上昇中は上記第２の基準値を、受光信号が下降中は上記第１の基準値を判断基準として受光信号の変化数を計数してフイルム移動量を検出する検出部とを備えるものである点、については記載されておらず、そして、この点の構成は、甲第１号証に記載された発明から自明のものではなく、また、該発明に甲第２号証もしくは甲第３号証に記載された発明を適用しても容易に得られるものではない。即ち、甲第２号証刊行物に記載された発明には、上述したように、スロー・クロックの波形整形に用いるシュミット・トリガ回路の入出力特性におけるヒステリシス特性が、H→LとL→Hの変化で異なる２つのスレッショルド電圧VT＋、VT−により与えられる点が記載され、また、甲第３号証刊行物に記載された発明には、フイルムの移動量を検出するためのスリット板の回転によるスリット数をフォトインタラプタユニットにより検出するものにおいて、この検出信号に基づくパルス信号の発生にヒステリシス特性をもたせるため、２つのスレッショルドH、Lにより上記検出信号の出力波形の最小値→最大値と最大値→最小値の変化に対して異なる閾値を与える点が記載されているが、甲第２号証刊行物に記載された発明のスレッショルド電圧VT＋、VT−と甲第３号証刊行物に記載された発明のスレッショルド.H、Lは、いずれもそのレベル差を一定にするものであり、該レベル差は出力信号の最小値と最大値との差に応じて変化するものではないから、例え、このようなスレッショルド電圧VT＋、VT−もしくはスレッショルドH、Lを甲第１号証刊行物に記載された発明のマイコン（演算手段）の閾値を演算設置する構成（基準値設定部）における閾値（設定基準値）としても、本件発明の上記受光信号の最小値Vminと最大値Vmaxに関連する上記数式を基にする２つの基準値を設定する上記基準値設定部を構成することはできず、また、甲第１号証に記載された発明のマイコン（演算手段）のフイルム移動量を検出する構成（フイルム移動量を検出する検出部）に上記スレッショルド電圧VT＋、VT−もしくはスレッショルドH、Lを用いても上記数式を基にする２つの基準値を上述の判断基準として用いて受光信号の変化数を計数するフイルム移動量検出部である上記本件発明の検出部を構成することもできない。結局、上述した特徴的な構成をもつ基準値設定部と検出部とを備えた本件発明の上記演算手段は、甲第１号証刊行物に記載された発明に甲第２号証もしくは甲第３号証刊行物に記載された発明を適用しても導き出せるものではなく、また、これら甲第１号証ないし甲第３号証刊行物に記載された発明の如何なる組み合わせによっても導き出せるものではない。
　
　そして、本件発明は、その演算手段が上述した特徴的な構成の基準値設定部と検出部を備えることにより、本件訂正明細書に記載の本件発明に特有の作用効果を奏するものであるから、本件発明は、上記甲第１号証刊行物ないし甲第３号証刊行物に記載された発明に基づいて当業者が容易に発明をすることができたものではない。
　
（５）むすび
　以上のとおりであるから、本件発明の特許、即ち、本件訂正明細書の特許請求の範囲の請求項１に係る発明の特許は、異議申立人神田泰貴の主張した理由及び証拠によっては取り消すことはできない。
　また、他に本件訂正明細書の特許請求の範囲の請求項１に係る発明の特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年２月２６日（２００１．２．２６）
【訂正の要旨】
（１）訂正の要旨
　訂正事項ａ
　特許請求の範囲の請求項１を、その減縮と明りょうでない記載の釈明を目的として以下のように訂正する。
【請求項１】一駒に対して複数のパーフォレーションを有するフイルムを巻上げる際に、パーフォレーションの移動域に光を投射し、その反射光または透過光を受光し、受光信号の変化からパーフォレーション数を計数してフイルム移動量を検出するようにしたカメラのフイルム移動量検出装置において、カメラに装填されたフイルムが第１駒まで空送りされる間に上記した受光信号を入力し、受光信号の最小値Ｖｍｉｎと最大値Ｖｍａｘとから第１の基準値Ｖｏ１と第２の基準値Ｖｏ２とを
　Ｖｏ１：Ｋｏ１・（Ｖｍａｘ−Ｖｍｉｎ）＋Ｖｍｉｎ
　Ｖｏ２：Ｋｏ２・（Ｖｍａｘ−Ｖｍｉｎ）＋Ｖｍｉｎ
　ただし、Ｋｏ１、Ｋｏ２は定数、１＞Ｋｏ２＞Ｋｏ１＞０
の式を算出して設定する基準値設定部と、第１駒から巻上げられるフイルムの上記受光信号が上昇中は第２の基準値を、上記受光信号が下降中は第１の基準値を判断基準として受光信号の変化数を計数してフイルム移動量を検出する検出部とを含む演算手段を備えたことを特徴とするカメラのフイルム移動量検出装置。」
　訂正事項ｂ
　明細書第３頁第２８行〜２９行の【０００９】の欄の「受光信号の最小値と最大値とからその範囲内でレベルの異なる第１の基準値及び第２の基準値を設定する基準値設定部と、」なる記載を、「受光信号の最小値Ｖｍｉｎと最大値Ｖｍａｘとから第１の基準値Ｖｏ１と第２の基準値Ｖｏ２とを
　Ｖｏ１＝Ｋｏ１・（Ｖｍａｘ−Ｖｍｉｎ）＋Ｖｍｉｎ
　Ｖｏ２＝Ｋｏ２・（Ｖｍａｘ−Ｖｍｉｎ）＋Ｖｍｉｎ
ただし、Ｋｏ１、Ｋｏ２は定数、１＞Ｋｏ２＞Ｋｏ１＞０
の式を算出して設定する基準値設定部と、」と、その明りょうでない記載の釈明を目的として訂正する。
　訂正事項ｃ
　明細書第４頁第１行目【０００９】の欄の「上記受光信号を第１、第２の基準値を判断基準として」なる記載を「上記受光信号が上昇中は第２の基準値を、上記受光信号が下降中は第１の基準値を判断基準として」と、その明りょうでない記載の釈明を目的として訂正する。
　訂正事項ｄ
　明細書第４頁第１０行目【００１０】の欄の「これらの範囲内になるようにしたレベルの異なる第１の基準値と第２の基準値」なる記載を「これらの範囲内において上記最大値と最小値の差に応じてレベル差が変わる第１の基準値と第２の基準値」と、その明りょうでない記載の釈明を目的として訂正する。
（５４）【発明の名称】
カメラのフイルム移動量検出装置
（５７）【特許請求の範囲】
　【請求項１】　一駒に対して複数のパーフォレーションを有するフイルムを巻上げる際に、パーフォレーションの移動域に光を投射し、その反射光または透過光を受光し、受光信号の変化からパーフォレーション数を計数してフイルム移動量を検出するようにしたカメラのフイルム移動量検出装置において、
　カメラに装填されたフイルムが第１駒まで空送りされる間に上記した受光信号を入力し、受光信号の最小値
Ｖｍｉｎと
Ｖｍａｘとから第１の基準値Ｖｏ１と第２の基準値Ｖｏ２とを
　　　　
Ｖｏ１＝Ｋｏ１・（Ｖｍａｘ−Ｖｍｉｎ）＋Ｖｍｉｎ
　　　　
Ｖｏ２＝Ｋｏ２・（Ｖｍａｘ−Ｖｍｉｎ）＋Ｖｍｉｎ
　　　　　　　
ただし、Ｋｏ１、Ｋｏ２は定数、１＞Ｋｏ２＞Ｋｏ１＞０
の式を算出して
上記受光信号が上昇中は第２の基準値を、上記受光信号が下降中は第１の基準値を判断基準として
【発明の詳細な説明】
　【０００１】
　【産業上の利用分野】
　この発明はフイルムの自動巻上げに適用されるカメラのフイルム移動量検出装置に関する。
　【０００２】
　【従来の技術】
　カメラには、フイルムのパーフォレーションを利用してフイルムの移動量を検出し、フイルムの自動巻上げを行なう構成のものがある。
　図５はフイルムの移動量検出装置の従来例を示す。
　【０００３】
　図５において、１は１回の撮影毎に１駒だけ巻上げられるフイルム、２…２はフイルム１の上縁および下縁に沿って一定のピッチ、例えば、１駒に対して８個のピッチで設けられたパーフォレーション、３はフイルム１の巻上げ時に走行中のフイルム１の下縁、換言すればパーフォレーション２…２を設けた部分（以下、パーフォレーション部４という）に向けて所定の方向から赤外線光を投射するＬＥＤ素子よりなる投光器、５は投光器３によってパーフォレーション部４に投射された赤外線光の反射光を受光するフォトトランジスタ等の受光器である。
　【０００４】
　６は一方の入力端子を受光器５に接続し、他方の入力端子を可変抵抗７に接続してフイルム１の反射率に対応して適当に設定した基準値電圧Ｖｔｈを与える比較器、８は１個のパーフォレーション２の通過に対応して比較器６から出力されるパルスの立下りを捉えて計数し、計数値が予め設定した値、１駒８パーフォレーションの場合であれば「８」に達したときに、停止信号を出力する計数回路、９は計数回路８の停止信号によってリセットされるフリップフロップで、そのセット入力端子Ｓは、シャッタ閉と同時か一定のタイミングだけ遅いタイミングでオンされるスタートスイッチ１０に接続される。
　【０００５】
　また、出力端子Ｑはインバータ１１を介してフイルム巻上軸を歯車系を介して巻上げ駆動する電動モータ１２の駆動回路１３に接続され、また、反転出力端子Ｑはフイルム巻上軸に連動する歯車系に対して設けた機械的制動機構を動作するための電磁マグネット１４を駆動する制動指令回路１５に接続されている。
　また、上記フリップフロップ９の反転出力端子Ｑは計数回路８のリセット信号として計数回路８をリセットする。
　【０００６】
　スタートスイッチ１０がＯＮすると電動モータ１２が回転し、フイルム１が移動する。そして、受光器５はフイルム１のパーフォレーション部４からの反射光を受光し、受光信号を比較器６へ送る。
　受光信号が比較器６の基準値電圧Ｖｔｈ以上に達する毎にフイルムの移動にしたがってパルス出力される。
　このパルスを計数回路８がカウントし、フイルム１の１駒の移動量８パルスの終わりに停止信号を出力してフリップフロップ９をリセットする。これより、電動モータ１２が停止され、また、電磁マグネット１４の励磁により機械的制動が行なわれる。
　【０００７】
　【発明が解決しようとする課題】
　上記したフイルムの移動量検出装置は、１つの基準値電圧Ｖｔｈを基準にして受光信号を判定する構成となっている。
　しかし、投光器、受光器などの特性のバラツキにより、同一フイルムを用いても、カメラによっては受光信号が基準値電圧Ｖｔｈに達しないで、比較器８のパルスが出力されない場合があった。
　また、フイルムの反射率の違いによって同様の問題が起こることがある。特に、白黒フイルムでは検出できるが、カラーフィルムは基準値電圧Ｖｔｈに達しないと言う不具合が生ずることがあった。
　そのため、あらゆるフイルムに対応できる、基準値電圧Ｖｔｈの決定と、投光器、受光器などの選別とを入念に行なっている。しかし、これには多大な時間と手間がかかり、さらに新発売されるフイルムについては、反射率が分からないため、上記した基準値電圧Ｖｔｈが適切な値かどうか分らなかった。
　【０００８】
　また、何らかの不具合でスプロケットが空回りしてフイルムが移動しないような場合には、フイルムの振動によって受光信号が変動して誤パルスをカウントしてしまうという問題があった。
　そこで、本発明では、投光器や受光器などの特性のバラツキ、フイルムの違い等に何ら影響を受けず、フイルムの移動量を確実に検出できる検出装置を開発することを目的とする。
　【０００９】
　【課題を解決するための手段】
　上記した目的を達成するため、本発明では、一駒に対して複数のパーフォレーションを有するフイルムを巻上げる際に、パーフォレーションの移動域に光を投射し、その反射光または透過光を受光し、受光信号の変化からパーフォレーション数を計数してフイルム移動量を検出するようにしたカメラのフイルム移動量検出装置において、カメラに装填されたフイルムが第１駒まで空送りされる間に上記した受光信号を入力し、受光信号の最小値
Ｖｍｉｎ
Ｖｍａｘとから第１の基準値Ｖｏ１と第２の基準値Ｖｏ２とを
　　　　
Ｖｏ１＝Ｋｏ１・（Ｖｍａｘ−Ｖｍｉｎ）＋Ｖｍｉｎ
　　　　
Ｖｏ２＝Ｋｏ２・（Ｖｍａｘ−Ｖｍｉｎ）＋Ｖｍｉｎ
　　　　　　　
ただし、Ｋｏ１、Ｋｏ２は定数、１＞Ｋｏ２＞Ｋｏ１＞０
の式を算出して
上記受光信号が上昇中は第２の基準値を、上記受光信号が下降中は第１の基準値を判断基準として
　【００１０】
　【作用】
　カメラに装填されたフイルムが撮影する第１駒まで空送りされる間に、パーフォレーションの移動域に投射した光の反射光または透過光を受光し、この受光信号からこの信号の最大値と最小値とが求められる。そして、最大値と最小値とからこれらの範囲内
において上記最大値と最小値の差に応じてレベル差が変わる第１の基準値と第２の基準値が
　【００１１】
　また、フイルムが第１駒から巻上げられると、パーフォレーションの移動域に同様に投射された光の反射光まはた透過光が受光され、この受光信号が第１、第２の基準値と比較されてパルス変換される。
　このパルスの計数によってフイルム移動量が検出される。
　【００１２】
　【実施例】
　次に、本発明の一実施例について図面に沿って説明する。
　図１は、フイルムを装填した状態を示すカメラの簡略的な背面図で、２０はカメラ、２１はアパーチャ、２２はスプロケット、２３はパトローネ、２４はフイルム、２５はパーフォレーションである。
　また、２６はフイルム移動量検出装置を構成する反射形のフォトカプラで、図示するようにパーフォレーション２５の移動域に配置してある。
　なお、このカメラ２０はフイルム自動巻機構を備え、フイルムをカメラに装填しカメラ裏蓋を閉じるとスプロケット２２によって第１駒までが自動的に巻上げられ、また、撮影される毎にフィルムー駒が自動的に巻上げられるようになっている。
　【００１３】
　図２は上記した反射形のフォトカプラ２６の簡略的な構成図を示し、図３はフォトカプラ２６とマイクロコンピュータ２８とから構成したフォトインタラプタの回路図を示す。
　フォトカプラ２６は発光ダイオードを使用した投光器２９とフォト・トランジスタを使用した受光器３０を図示する如く所定の間隔をおいて配置してある。
　投光器２９はフイルム２４の下側のパーフォレーション２５が進行する移動域に赤外線光を投射し、受光器３０はフイルム面で反射した赤外線光を受光し、光電変換したアナログ信号である受光信号を出力する。
　【００１４】
　また、投光器２９はマイクロコンピュータ２８によって点灯制御される。受光器３０が出力する受光信号はマイクロコンピュータ２８に入力されＡ／Ｄ変換される。
　マイクロコンピュータ２８はＣＰＵ、ＲＡＭ、Ａ／Ｄ変換部、カウンタなどを含み、投光器２９と受光器３０の給電制御の他に、入力した受光信号をパルス変換した後、パルスカウントし、パルス計数値からフイルム２４の移動量を検出する構成となっている。
　【００１５】
　つまり、マイクロコンピュータ２８は、フイルム２４をカメラ２０に装填して裏蓋を閉じたとき、この閉じ信号を入力して投光器２９を投光させ、また受光器３０を受光状態に給電制御する。
　そして、フイルム２４が撮影される第１駒まで自動的に空送りされるから、そのスタート時に入力する受光信号を演算処理し、この受光信号の最大値Ｖｍａｘと最小値Ｖｍｉｎを求め、さらに、これら最大値Ｖｍａｘと最小値Ｖｍｉｎから第１の基準値Ｖｏ１と第２の基準値Ｖｏ２とを算出してメモリする。
　【００１６】
　第１の基準値Ｖｏ１と第２の基準値Ｖｏ２は、次式によって算出される。
　　Ｖｏ１＝Ｋｏ１・（Ｖｍａｘ−Ｖｍｉｎ）＋Ｖｍｉｎ
　　Ｖｏ２＝Ｋｏ２・（Ｖｍａｘ−Ｖｍｉｎ）＋Ｖｍｉｎ
　ただし、Ｋｏ１、Ｋｏ２は定数、１＞Ｋｏ２＞Ｋｏ１＞０
　このように算出された基準値は図４の（ｃ）に示すように最大値Ｖｍａｘと最小値Ｖｍｉｎとの範囲内で、Ｖｏ１＜Ｖｏ２となるように設定される。
　【００１７】
　第１駒が撮影されてフイルムの巻上げが行なわれると、フォトカプラ２６の受光器３０がパーフォレーション２５の移動にしたがって図４の（ｃ）に示すような受光信号Ｖｏを出力し、マイクロコンピュータ２８がこの受光信号Ｖｏを入力する。
　このとき、マイクロコンピュータ２８のＡ／Ｄ変換部が予め設定してある第１、第２の基準値（Ｖｏ１、Ｖｏ２）と入力した受光信号Ｖｏとを比較し、図４の（ｄ）に示すパルス電圧を出力する。
　【００１８】
　つまり、Ａ／Ｄ変換部は、受光信号Ｖｏが上昇中に第２の基準値Ｖｏ２に達した時、Ｈｉｇｈ電圧を出力し、受光信号Ｖｏが下降中に第１の基準値Ｖｏ１に達した時、Ｌｏｗ電圧を出力する構成としてある。
　これより、フォトカプラ２６を一つのパーフォレーション２５が通過すると、１つのパルスがＡ／Ｄ変換部より出力される。
　【００１９】
　マイクロコンピュータ２８のカウンタは、Ａ／Ｄ変換部から出力される上記のようなパルスをカウントし、所定の計数値に達したときに、このマイクロコンピュータ２８より検出信号が出力する。
　例えば、フイルム１駒に対するパーフォレーション２５が８個であれば、カウンタが８個のパルスをカウントとしたときに検出信号を出力する。
　なお、フイルム自動巻上機構は、その検出信号の入力に応動し、フイルム２４を一駒巻上げ時点でフイルム巻上げを停止する。
　フイルム２４の上記したような巻上げと移動量検出が撮影毎に行なわれる。
　【００２０】
　以上、一実施例について説明したが、本発明は、投光器２９の投射光をパーフォレーション２５を通し、この透過光を受光器３０により受光する構成のフォトカプラ２６を利用することもできる。
　【００２１】
　【発明の効果】
　上記した通り、本発明に係るフイルム移動量検出装置は、フイルムが第１駒まで空送りされる間に第１、第２の基準値が予め設定され、第１駒から巻上げられるフイルムのパーフォレーションがその第１、第２の基準値をヒステリヒス的に交互に判断基準として計数され、さらに、この計数値によってフイルム移動量が検出される構成となっている。
　【００２２】
　したがって、フォトカプラを構成する投光器や受光器などの特性のバラツキ、フイルムの反射率の違いなどによる影響を受けない。
　このため、従来例のような基準値電圧の設定に多大な時間を費やしたり、フォトカプラの厳格な選別作業等を要しない。
　【００２３】
　また、カメラ修理時にフォトカプラを交換したり、生産途中で、コスト、形状等の理由で設計変更する場合にも、何等調整や検査をする必要がない。
　さらに、今後発売される新フイルムについてもそのまま対応することができる。
　【００２４】
　また、フイルム巻上機構の動作にかかわらず、何等かの原因によってフイルムが巻上げられない場合は、スプロケットの回転に伴ってフイルムが振動するから、フォトカプラが出力する受光信号の振幅が小さく、２つの基準値とは比較されないため、パーフォレーションの誤カウントがない。
【図面の簡単な説明】
　【図１】
　本発明の一実施例であるフイルム移動量検出装置を備えたカメラの簡略的な背面図である。
　【図２】
　上記した検出装置に備えるフォトカプラの構成図である。
　【図３】
　上記したフォトカプラとマイクロコンピュータとで構成したフォトインタラプタの回路図である。
　【図４】
上記した検出装置の動作を説明するための波形図である。
　【図５】
　従来例として示したフイルム移動量検出装置の回路図である。
　【符号の説明】
　２０　カメラ
　２４　フイルム
　２５　パーフォレーション
　２６　フォトカプラ
　２８　マイクロコンピュータ
　２９　投光器
　３０　受光器